(57)【要約】【課題】明視域が遠位部だけでなく約１ｍまでの中距離を見るように設計された部位にまで広く分布し、これによりレンズ装着者の頭を動かさずに幅広い視界を明確に認知可能なものとするプログレッシブ眼鏡レンズを提供する。【解決手段】眼鏡レンズは、装着位置で遠距離を見るのに適した屈折力を第１の透視領域に有し、装着位置で中距離すなわち約１ｍ以上の距離を見るのに適した屈折力を第２の透視領域に有しており、屈折力は、第１の透視領域から平面主線又は巻き主線に沿って第２の透視領域に亘って連続的に増加する。そして、この眼鏡レンズは、次のような特徴を有する。すなわち、屈折力が、第１の透視領域から第２の透視領域に亘ってのみでなく、第２の透視領域を超えて眼鏡レンズの下方端部にまで亘って連続的に増加し、明視域すなわち眼鏡レンズ／目のシステムの残留非点収差が０．５ｄｐｔを超えない領域が、第１の透視領域下で眼鏡レンズの下方端部まで狭まっており、視野の狭窄感なく漏斗状の構成を有する。
2004514946.tif 000002
【特許請求の範囲】
【請求項１】
装着位置で遠距離を見るのに適した屈折力を第１の透視領域に有し、
装着位置で中距離すなわち約１ｍ以上の距離を見るのに適した屈折力を第２の透視領域に有し、
前記屈折力が、前記第１の透視領域から平面主線又は巻き主線に沿って前記第２の透視領域に亘って連続的に増加する眼鏡レンズにおいて、
前記屈折力は、前記第１の透視領域から前記第２の透視領域に亘ってのみでなく、前記第２の透視領域を超えて前記眼鏡レンズの下方端部にまで亘って連続的に増加し、明視域すなわち眼鏡レンズ／目のシステムの残留非点収差が０．５ｄｐｔを超えない領域が、前記第１の透視領域下で前記眼鏡レンズの下方端部まで狭まっており、視野の狭窄感のない漏斗状の構成をとることを特徴とする眼鏡レンズ。
【請求項２】
一方の面だけが、装着位置での屈折力増加に役立つことを特徴とする請求項１記載の眼鏡レンズ。
【請求項３】
前記面は、目側の表面であることを特徴とする請求項２記載の眼鏡レンズ。
【請求項４】
他方の面は、回転対称面又はトロイダル面であることを特徴とする請求項２又は３記載の眼鏡レンズ。
【請求項５】
非乱視眼の場合、前記明視域は、表面非点収差の０．５ｄｐｔ等高線によりその境界が形成されることを特徴とする請求項１乃至４のいずれか１項記載の眼鏡レンズ。
【請求項６】
前記主線に沿った屈折力の一次導関数による経路は、前記第１及び第２の透視領域間で単調であることを特徴とする請求項１乃至５のいずれか１項記載の眼鏡レンズ。
【請求項７】
前記主線に沿った屈折力の一次導関数による経路は、前記第２の透視領域と前記眼鏡レンズの下方端部との間で単調であることを特徴とする請求項６記載の眼鏡レンズ。
【請求項８】
前記眼鏡レンズは、プログレッシブ屈折力を有する従来の眼鏡レンズ、すなわち遠方視用に設計された領域と近方視用に設計された領域とを有する眼鏡レンズと、同一の直径を有することを特徴とする請求項１乃至７のいずれか１項記載の眼鏡レンズ。
【請求項９】
装着位置での屈折力の増加に役立つ１つの表面又は複数の表面は、各装着状況に応じて個別に計算されたものであることを特徴とする請求項１乃至８のいずれか１項記載の眼鏡レンズ。
【請求項１０】
屈折力の増加を示す等高線は、主視軸の領域で水平方向に延びていることを特徴とする請求項１乃至９のいずれか１項記載の眼鏡レンズ。
【請求項１１】
ＢＦ点及び“ＢＮ”点間の中央上の主線を通過する屈折力の増加を示す少なくとも等高線は、該主線の上方横方向に彎曲
し、前記主線を通過するｙ座標値よりも大きなｙ座標値で前記眼鏡レンズの端部に到達することを特徴とする請求項１０記載の眼鏡レンズ。
【請求項１２】
遠位基準点（ＢＦ）及び中央点（ＺＰ）が一致す彎曲ることを特徴とする請求項１乃至１１のいずれか１項記載の眼鏡レンズ。
【発明の詳細な説明】
【０００１】
【発明の属する技術分野】
本発明は、遠方及び中間物体距離用のプログレッシブ眼鏡レンズに関するものである。
【０００２】
【従来の技術】
一般に、プログレッシブ眼鏡レンズ（これは可変焦点レンズや多焦点レンズ等とも呼ばれる）は、眼鏡レンズを装着した人が非常に遠くにあるものを見るための領域（以下、遠位部と称する）が、近くのものを見るための領域（以下、近位部と称する）と異なる（小さい）屈折力を有するように構成された眼鏡レンズといえる。レンズの遠位部と近位部との間には、いわゆるプログレッシブ領域があるが、その領域では眼鏡レンズの屈折力が遠位部から近位部に向かって連続的に増加するように構成されている。なお、この屈折力増加分の大きさは、加入屈折力とも呼ばれる。
【０００３】
通常、遠位部は、眼鏡レンズの上方部に位置し、“無限遠”を見るように設計されている。一方、近位部は、眼鏡レンズの下方部に位置し、特に読書用に設計されている。但し、例えば、パイロットやモニター関連職などの特別な応用品として利用される眼鏡レンズでは、場合によって、これら遠位部及び近位部が異なった位置に配置されていたり、且つ／又は他の距離用に設計されていても良い。そして、この場合、複数の近位部及び／又は遠位部並びに最適なプログレッシブ領域をレンズ内に構成することができる。
【０００４】
一定の屈折率を有するプログレッシブ眼鏡レンズでは、遠位部と近位部との間で屈折力を増加させるために、レンズの片面又は両面の曲率を遠位部から近位部へと連続的に変える必要がある。
【０００５】
ところで、眼鏡レンズの表面は、通常表面上の各点における、いわゆる主曲率半径Ｒ１及びＲ２によって特徴づけられる。（なお、この主曲率半径の代わりに、いわゆる主曲率Ｋ１＝１／Ｒ１、Ｋ２＝１／Ｒ２による場合もある。）また、主曲率半径は、ガラス材料の屈折率とともに、レンズ表面の眼科学上の特徴づけに時折利用されるパラメータを決定するものである。
表面屈折力Ｄ　＝０．５×（ｎ−１）×（１／Ｒ１＋１／Ｒ２）
表面非点収差Ａ＝　　　　（ｎ−１）×（１／Ｒ１−１／Ｒ２）
【０００６】
表面屈折力Ｄは、遠位部から近位部に向かって屈折力が増加するのを実現するパラメータである。表面非点収差Ａ（より明確には、シリンダー屈折力である）は、“問題な性質”である。というのも、補正を目的としない限り、目／眼鏡レンズのシステムの残留非点収差が約０．５ｄｐｔ値を超えると、網膜に不明瞭な像を知覚させることになるからである。
【０００７】
表面非収差により視界が“乱される”ことなく、表面屈折力の増加を実現するためには、レンズ表面のわずかな曲率変化も比較的簡単に線（平面線もしくは巻き線）に沿って得られることが必要であるが、複数の表面の相当数の“交点”がこの線上に沿って存在すると、大きな表面非点収差となって、当該線に沿ったレンズ領域の性能が多かれ少なかれ害されることになる。ミンクウイッツ（Ｍｉｎｋｗｉｔｚ）定理によれば、平面内に在る臍状子午線として設計した線の場合、この臍状子午線に垂直な方向の表面非点収差は、当該臍状子午線に沿った表面屈折力の表面非点収差に対して２倍の傾斜で増加し、そのため、表面非点収差値の乱れが、臍状子午線の近辺に、特にプログレッシブ領域で生じるようになる。（なお、各点において同一な主曲率を有する、すなわち表面非点収差のない線は、臍の子午線又は臍状の子午線と呼ばれる。）
【０００８】
従来のプログレッシブ眼鏡レンズは、ある領域が遠方視（遠位部）として設計され、他の領域が近方視、例えば約３３〜４５ｃｍの距離用（近位部）として設計されており、このようなプログレッシブ眼鏡レンズでは、遠位部から始まる明視域が、いわゆるプログレッシブ領域で数ミリ幅、従来一般には２〜３ｍｍの幅に狭められ、それから近位部上部で通常７ｍｍ以上の幅に広がるように設計される。このため、従来のプログレッシブ眼鏡レンズでは、明視域が砂時計に似た形状となる（底が細めだが）。また、これは、国際公開公報ＷＯ９７／４０４１５号で開示されたプログレッシブ眼鏡レンズにも応用されており、明視域の下方が中間距離視野用に設計されている。
【０００９】
【特許文献１】国際公開公報ＷＯ９７／４０４１５号
【００１０】
【発明が解決しようとする課題】
しかしながら、このように、プログレッシブ領域すなわち遠位部と明視域の下方領域（近位部）との間の領域において明視域が制約されているため、特に眼鏡装着者が自らの行動のために眼鏡を近位部用（約３０ｃｍ〜約４０ｃｍの距離を見るために設計された部位）として使用するのではなく、一般的に長距離又は１ｍかそれより若干短い位の中距離のみを見るのに単に用いる場合、この明視域の制約が特別な障害となる。例えば、このような行動としては、テニス、フットボール、ゴルフなどをする行動や、モニターをチェックする行動などが挙げられる。
【００１１】
そこで、本発明は、明視域が遠位部だけでなく約１ｍまでの中距離を見るように設計された部位に亘って広く分布し、これにより眼鏡装着者の頭を全く動かさずに幅広い視界を明確に認知可能なものとするプログレッシブ眼鏡レンズを提供することを目的とする。
【００１２】
【課題を解決するための手段】
上記課題を達成するために、本発明は、請求項１にて記載した特徴を有する。また、本発明の改良は、請求項２及びその他の従属する請求項にて対象として記載した特徴を有する。
【００１３】
本発明は、次のような点を考慮してなされたものである。
僅かな近方視の条件も完全に除外し、又は非常に近距離（１ｍ未満で約３３ｃｍ位までの距離）を見るための条件を従属とした、一連の応用ケース又は行動があることを前提とする。そして、このような応用ケースや行動用の眼鏡を所持したいと希望する眼鏡着用者に対して、本発明に係る眼鏡レンズを提供することができる。本眼鏡レンズは、遠位部及び中間部における視界の鋭敏な補正のみを（実質上）可能としながら、特に中間領域では従来のプログレッシブ眼鏡レンズと比較して遥かに優れた特性を有するものである。
【００１４】
したがって、本発明によれば、遠距離を見るのに適した屈折力を装着位置にて第１の透視領域に有し、中間距離、すなわち約１ｍ以上の距離を見るのに適した屈折力を装着位置にて第２の透視領域に有する眼鏡レンズを提供することを特徴とする。これにより、屈折力は、第１の透視領域から平面主線又は巻き主線（主子午線）に沿って第２の透視領域に亘って連続的に増加する。
【００１５】
ここで、本明細書で用いた“装着位置での屈折力”との用語は、いわゆる装着位置での眼鏡レンズの光学屈折力を示している。よって、装着位置でのこの屈折力は、眼鏡レンズ／目のシステムにおける残留非点収差と同様に計算することができる。例えば、装着者の目前で特定距離を隔てて特定の広角度で配した眼鏡レンズにおいてその光線を計算することによる。ここで、装着者の目は、例えば必要な球面補正、生じうる非点収差、目の非点収差の円柱軸などの各処方データを有する、通常の眼球であるとの前提に基づいている。また、目の移動は、例えば、いわゆるリスティング（ＬＩＳＴＩＮＧ）の法則と呼ばれる既存の方法で把握することができる。同様に、現存する残留調節能力は、特定の屈折力増加に対する特定の物体距離の割当を指定することで把握される。そして、この割当により、巻き主線の変位、または平面主線が垂線に対して延びる角度をも決定し、これにより主線（主子午線）は、特定の距離を眺めた際の視界における光線の収束に続くようになる。
【００１６】
ここで、眼鏡レンズの前面及び目側の面の各表面データに加えて、眼鏡レンズの厚み、屈折率、あらゆるプリズム屈折力、更に前述した目に対する眼鏡レンズの配置が、装着位置における屈折力、及び眼鏡レンズ／目のシステムにおける残留非点収差に影響を及ぼす。もちろん、装着位置における眼鏡レンズのプログレッシブ特性は、設計、つまりプログレッシブ表面の表面特性によって実質的に決定される。同様に、プログレッシブ表面の表面非点収差値は、眼鏡レンズ／目のシステムにおける残留非点収差を実質的に決定する。
【００１７】
装着位置での屈折力の計算方法や、乱視又は非乱視の目における眼鏡レンズ／目のシステムの残留非点収差の計算方法は、既存の文献により公知となっている。また、このような計算を可能とするコンピュータプログラムが市販されている。
【００１８】
また、本発明によれば、屈折力は、第１の透視領域から第２の透視領域に亘ってのみでなく、第２の透視領域を超えて眼鏡レンズの下方端部にまで亘って増加変化するように選択される。本発明に係る眼鏡レンズは、明視域が砂時計状の従来のプログレッシブ眼鏡レンズとは異なり、次のような明視域、すなわち眼鏡レンズ／目のシステムの残留非点収差が０．５ｄｐｔを超えず、わずかな視野の狭窄感も与えずに明視域の第１領域下で眼鏡レンズの下方端部に至る漏斗状の狭い形状を有するようになされた明視域が設けられている。これにより、２ｍ以下、例えば特に１ｍ位までの距離を眺めるための明視域が、非常に広くなる。よって、この明視域は、少なくとも２つの上記要因により、同一の視野距離を眺めるに際して、従来の非常に好ましい眼鏡レンズにおけるよりも通常幅広いものとなる。とりわけ、漏斗状の明視域は、従来形状よりも生理学的に好ましく、眼鏡装着者が中距離用の明視域の狭窄感や短距離用の明視域の幅広さを受入れる必要がないため、装着者の慣れを必要としない。また、漏斗形状は、一般的な装着状態にもより適している。というのも、眼鏡装着者が頭を動かさずに目だけを動かして明確に認識したいと希望する領域は、通常、距離が離れるに従って広範囲となるものだからである。
【００１９】
無論、眼鏡レンズの両面によって、装着位置での屈折力を増加することができるが、通常、両面のうちの片方、例えば目側の面だけでも、表面屈折力を最適に変化させることで屈折力を増加することが十分可能である。
【００２０】
この場合、他方の面は、球面又は非球面の何れであっても回転対称であると良く、或いはトロイダル面であると良い。ここで、トロイダル面の一方又は両方の主子午線は、球面形とは異なった形状であると良い。
【００２１】
しかしながら、特に、装着位置での屈折力の増加に役立つ表面を特定の装着状態用に個別に計算設計してある方が好ましい。このためには、個別表面の典型的なパラメータ、例えば、眼幅、頂点距離、広角度などだけでなく、眼鏡装着者がその眼鏡を使用しようと考える特定の状況をも、装着位置のプログレッシブ面の計算に入れると良い。ここで、特に、眼鏡装着者が調節なく明確に認知できなければならない最小距離を考慮すべきである。この距離は、請求項１に記載のように、約１ｍを最適な下限から高い方に異なるものであっても良い。また、使用状況によって、第１の透視領域は、“無限遠”の距離用に設計されていなくても良く、これよりも短距離、例えば数ｍの距離用に設計されていても良い。
【００２２】
また、個別に計算されたプログレッシブ面の場合、目の乱視の補正に必要な非点収差を若干でも提供するものであるとより好ましい。そして、他方の表面、特に好ましくはレンズの前面は、回転対称な表面であると良い。一方、眼鏡レンズの厚さを薄くするため、或いは特定の形状フレームに合わせるためには、他方の表面、特に好ましくはレンズの前面は、トロイダル面であると良い。但し、その表面の非点収差は、目の乱視を補正するのに主に役立つものではない。また、審美的な点から選択された形状を有する第２の表面によって生じる非点収差は、個別に計算されたプログレッシブ面により補完することができる。
【００２３】
非乱視眼で、屈折力が大きすぎない場合、明視域は、プログレッシブ面における表面非点収差の０．５ｄｐｔ等高線により（実質的に）境界がつけられ、またこれは、目／眼鏡レンズのシステムにおける残留非点収差の０．５ｄｐｔ等高線と実際に合致する。
【００２４】
特に、本発明に係る眼鏡レンズの実施形態における好ましい実施例では、第１及び第２の透視領域間で主線に沿う屈折力の第１微分の経路は、単調であり、更に応用したものでは、第２の透視領域と眼鏡レンズの下方端部との間で主線に沿って単調なものである。このような屈折力の第１微分の経路により、特に、明視域を視野の狭窄感なく漏斗状とすることが容易くなる。
【００２５】
したがって、本発明に係る眼鏡レンズの設計は、特にドイツ連邦共和国特許第２０　４４　６３９Ａ１号の図３により公知な眼鏡レンズの設計とは全く匹敵しないものである。この公知文献の眼鏡レンズは、非常に大きな屈折力をＡ３点で有しており、そこでは中距離を明確に見るのは不可能だが、０．５ｍ（調節なし）又はそれ以下（調節付）程度の距離だけ離れた所を見るのは可能である。さらに、この公知な眼鏡レンズでは、図１７で示されるように、加入屈折力がＡ３点以下で再び小さくなっている。同じことを、以下の文献の対応する図４で示された眼鏡レンズに適用することができる。“プログレッシブ加入レンズ用の設計原理（Ｄｅｓｉｇｎ　Ｐｈｉｌｏｓｏｐｈｙ　ｆｏｒ　Ｐｒｏｇｒｅｓｓｉｖｅ　Ａｄｄｉｔｉｏｎ　Ｌｅｎｓｅｓ）”Ｇｕｅｎｔｈｅｒ　Ｈ．Ｇｕｉｌｉｎｏ著，応用光学Ｖｏｌ．３２，Ｎｏ．１，Ｐａｇｅ１１１ｆｆ。なお、上述の参考文献は、表面特性について記載しており、使用位置における特性については全く記載していないことは留意すべきである。
【００２６】
【特許文献２】ドイツ連邦共和国特許第２０　４４　６３９Ａ１号
【非特許文献１】Ｄｅｓｉｇｎ　Ｐｈｉｌｏｓｏｐｈｙ　ｆｏｒ　Ｐｒｏｇｒｅｓｓｉｖｅ　Ａｄｄｉｔｉｏｎ　Ｌｅｎｓｅｓ）”Ｇｕｅｎｔｈｅｒ　Ｈ．Ｇｕｉｌｉｎｏ著
【００２７】
さらに、本発明に係る眼鏡レンズは、プログレッシブ屈折力を有する従来の眼鏡レンズと同一な直径を有することができる。
【００２８】
【発明の実施の形態】
以下、本発明について、実施形態を一例として用いて添付図面を参照しながら説明する。
【００２９】
図１乃至図４中の部分図（ａ）は、以下詳細に説明する本発明に係る眼鏡レンズのパラメータを常に示し、一方、部分図（ｂ）は、従来技術のプログレッシブ眼鏡レンズ、すなわち遠位部と近位部とその間に配されたプログレッシブ領域とを有する眼鏡レンズにおける対応するパラメータを比較して示している。各図の部分図（ａ）及び（ｂ）は、互いに対応しているため、各部分図（ｂ）の説明に、対応する部分図（ａ）の記載を参照することができる。
【００３０】
なお、図示した実施形態例、及び比較例として用いた従来のプログレッシブ眼鏡レンズの両者について、次のような必須条件又は初期条件を、一般性を制限することなく適用するものとする。
両眼鏡レンズを設計するに辺り、眼鏡装着者はもはや調節能力を有さない完全な老眼の人であると仮定する。なお、本発明の基本概念は、調節能力が若干残存している眼鏡装着者に対応する眼鏡レンズにも勿論適用できるものである。
【００３１】
“切断していない”丸形眼鏡レンズは、６０ｍｍの直径を有する。そして、その切断していない丸形眼鏡レンズの外周境界と、一般的に縁どりをした眼鏡レンズの外周境界とを、図１〜図３に示す。無論、選択した眼鏡フレームの形状次第で、これよりも大きな又は小さな直径及びその他の縁どり形状が可能であり、大きさや形に関する限り、ファッションの流行の影響を受けるものである。
【００３２】
図１〜図３の横座標（ｘ座標）及び縦座標（ｙ座標）の寸法は、それぞれミリメートルである。ここで、この座標系は、装着位置、すなわち眼鏡レンズが目の前に配される位置にあるように選択される。
【００３３】
図１〜図３の全図面において、遠位基準点ＢＦ（ｙ＞０）及び近位基準点ＢＮ（ｙ＜０）を、ＤＩＮ又はＩＳＯ基準に従って各ケースで二重リング又は二重円で示す。さもなければ、第２の透視領域用の基準点“ＢＮ”については、本発明の眼鏡レンズに刻印マークを付けて通常の基準値に形式的に対応するように示すものとする。
【００３４】
ばつ印は、中央点ＺＰを示す。なお、上記用語の説明を必要とする場合は、関連基準を参照すると良い。
【００３５】
本発明に係る眼鏡レンズの実施形態における図示した一例では、遠位基準点ＢＦと中央点ＺＰが一致する。
【００３６】
さらに、図１〜図３は、眼鏡レンズの計算の基になる仮想主視軸又は主線ＨＬを示している。これは、特に目が収束すると、目線が特定の下方に降下するように割り当てられることを意味している。そして、この目線の割当、即ち目線の降下と収束との相互関係が、本発明に係る眼鏡レンズと従来技術で公知のプログレッシブ眼鏡レンズとで異なる点である。
【００３７】
勿論、本発明は、一例として図１（ａ）に示したような目線の降下と目の収束との相互関係のみに限定されるものではない。
【００３８】
このような目線の降下と目の収束とを互いに割り当てることで、各視野の降下毎に両目の視軸の交点と瞳孔の頂点との間の距離に至る。よって、この距離に合わせて、目の前の当該距離に位置する対象物を明確に見るのに必要な調節（単位ｄｐｔ、つまりｍ−１）を指定することができる。
【００３９】
図１は、本発明に係る眼鏡レンズのいわゆる物体距離表面（部分図１（ａ））と、従来のプログレッシブ眼鏡レンズの物体距離表面（部分図１（ｂ））を示している。これらは、各場合を想定して、鼻の直前又は横にある対象物を見る際の目線の降下と目の収束との相互関係から得られるものである。
【００４０】
本発明に係る眼鏡レンズでは、図１（ａ）に示すように、第２の透視領域のｙ＝−１４ｍｍに位置する基準点での物体距離は、１．３０ｍに設定されている。なお、この基準点は、従来のプログレッシブ眼鏡レンズにおける近位基準点ＢＦに対応する。そして、この距離の場合、必要な調節は、次のように計算される。
１／１．３０＝０．７７ｄｐｔ．
【００４１】
ここで、等高線は、必要な調節が０．２５ｄｐｔ及び０．５ｄｐｔの各場合における物体距離を示している。
【００４２】
本発明に係る眼鏡レンズでは、第２透視領域の基準点が単に関連基準又は規則に準じて示されている状態であるため、設計基礎となる主視軸が眼鏡レンズに刻印された基準点ＢＮの印を通過しないようになされていることが、単に指摘される。
【００４３】
ここで、比較用に用いた従来のプログレッシブ眼鏡レンズでは、近位基準点での“設計距離”が３３ｃｍであり、そのため必要な調節が３ｄｐｔとなされている。
【００４４】
本発明の眼鏡レンズは、図２（ａ）〜図４（ａ）に一例としてより詳細に図示したように、図１（ａ）に従って特定される物体距離表面に基づいて計算されたものである。
【００４５】
図２（ａ）は、装着位置において、屈折力（単位ｄｐｔ）の増加（Ｓ’−Ｓ）を表す等高線を示している。ここで、Ｓ’は、装着位置での像側の焦点距離の逆数であり、Ｓは、物体側の焦点距離の逆数である。
【００４６】
図２（ａ）から明らかなように、主視軸領域における屈折力の増加を示す等高線は、略水平方向に延びており、よって生理学上有利となされている。さらに、ＢＦ点及び“ＢＮ”点間の中央上の主線を通過する屈折力の増加を示す等高線は、主線の上方横方向に彎曲し、主線を通過するｙ座標値よりも大きなｙ座標値で眼鏡レンズ端部に到達している。
【００４７】
図２（ｂ）もまた、等高線として、従来のプログレッシブ眼鏡レンズにおける装着位置での屈折力の増加を示している。
【００４８】
図２（ａ）及び図２（ｂ）を比較すると、従来の眼鏡レンズは、等高線０．７５が本発明に係る眼鏡レンズよりも実質的に遥かに“起伏の多い”状態であることが容易く明らかである。とりわけ、本発明の眼鏡レンズでは０．７５ｄｐｔ等高線が主線の上方横方向に延びているにもかかわらず、一方、従来の眼鏡レンズの場合では０．７５ｄｐｔ等高線が実質的に下方に向かって彎曲している。さらに、１．０ｄｐｔ等高線においては、本発明に係る眼鏡レンズよりも実質的に遥かに下方に向かって湾曲している。
【００４９】
図３（ａ）は、本発明の眼鏡レンズ／目のシステムにおける等価な（残留）非点収差値の線経路を表す等高線を示している。これに対応する従来のプログレッシブ眼鏡レンズの等高線を図３（ｂ）に示す。
【００５０】
これらの図面を比較すると、本発明の眼鏡レンズ（図３（ａ）参照）は、０．２５ｄｐｔ及び０．５ｄｐｔの非点収差を示す等高線が、従来の眼鏡レンズよりも遥かに短い物体距離の位置だけで主視軸に“向かって延びており”、これにより、中間物体距離を眺めるために視野を降下する場合に、乱れのない視界すなわち明視域が、図３（ｂ）による従来の眼鏡レンズよりも遥かに幅広くなっていることが分かる。さらに、これらの等高線の経路は、反転部がなく、すなわち明視域が漏斗状であり“砂時計”のような形状ではない。
【００５１】
図４（ａ）は、本発明の眼鏡レンズにおける装着位置の屈折力の経路（実線）と、主線又は主子午線に沿った屈折力の一次導関数（点線）を示している。図４から明らかなように、屈折力の一次導関数の経路は、遠位基準点と眼鏡レンズの下方端部との間で単調である。一方、従来技術では（図４（ｂ）参照）、一次導関数が、従来生じていた特に視野の狭窄感の原因となる非単調な経路を示している。
【００５２】
以上、本発明に関して、一般性及び本発明の一般的応用を制限することなく実施形態を一例として説明してきた。
【００５３】
よって、本発明の基本概念は、残留調節能力を有する人を対象とした眼鏡レンズにも勿論適用することができる。このような対応改良は、いつでも可能である。また、上述の眼鏡レンズは、１．３ｍの距離用に設計した第２透視領域の基準点を介して近位範囲を明確に十分見ることが可能な残留調節能力を有する人によっても勿論用いることができる。
【００５４】
なお、本発明に係る眼鏡レンズを使用する場合を、実施例により説明してきたが、これら場合は、勿論一般的応用を制限するものではない。
【００５５】
【発明の効果】
以上説明したように、本発明に係る眼鏡レンズは、従来の眼鏡レンズと比較して、近位部が幅広くなく、中間距離を見る領域が狭くない点が異なっているが、特に従来技術の場合よりもその代わりに遥かに大きな領域を有し、その領域を通して眼鏡レンズ使用者が中間距離つまり少なくとも１ｍ以上の距離を明確に見ることができる点が異なっている。
【図面の簡単な説明】
【図１】
眼鏡レンズの計算の基になる仮想主視軸又は主線ＨＬを示し、（ａ）は、本発明に係る眼鏡レンズの実施形態例における、いわゆる物体距離表面を示す図、（ｂ）は、比較例として従来のプログレッシブ眼鏡レンズにおける、いわゆる物体距離表面を示す図である。
【図２】
眼鏡レンズの計算の基になる仮想主視軸又は主線ＨＬを示し、（ａ）は、本発明に係る眼鏡レンズにおける装着位置の屈折力増加を示す等高線の図、（ｂ）は、比較例として従来のプログレッシブ眼鏡レンズにおいて対応する等高線の図である。
【図３】
眼鏡レンズの計算の基になる仮想主視軸又は主線ＨＬを示し、（ａ）は、本発明に係る眼鏡レンズにおける目対眼鏡レンズのシステムで得られる非点収差を示す等高線の図、（ｂ）は、比較例として従来のプログレッシブ眼鏡レンズにおいて対応する等高線の図である。
【図４】
本発明の眼鏡レンズにおける装着位置の屈折力の経路（実線）と、主線又は主子午線に沿った屈折力の一次導関数（点線）を示し、（ａ）は、装着位置における屈折力変化と、主子午線に沿った屈折力の１次導関数の変化とを示す図、（ｂ）は、比較例として従来のプログレッシブ眼鏡レンズにおいて対応する変化を示す図である。
【国際公開パンフレット】
2004514946.tif 000003
2004514946.tif 000004
2004514946.tif 000005
2004514946.tif 000006
2004514946.tif 000007
2004514946.tif 000008
2004514946.tif 000009
2004514946.tif 000010
2004514946.tif 000011
2004514946.tif 000012
2004514946.tif 000013
2004514946.tif 000014
2004514946.tif 000015
2004514946.tif 000016
2004514946.tif 000017
2004514946.tif 000018
2004514946.tif 000019
2004514946.tif 000020
2004514946.tif 000021
2004514946.tif 000022
2004514946.tif 000023
2004514946.tif 000024
2004514946.tif 000025
2004514946.tif 000026
2004514946.tif 000027
2004514946.tif 000028
2004514946.tif 000029
【国際公開パンフレット（コレクトバージョン）】
2004514946.tif 000030
2004514946.tif 000031
【国際調査報告】
2004514946.tif 000032
2004514946.tif 000033
2004514946.tif 000034
2004514946.tif 000035
2004514946.tif 000036
2004514946.tif 000037